(57)【要約】  【課題】  コンパクトに折り畳むことができ、かつ、折り畳み作業及び展開作業を容易に行うことができる保持スタンドを提供する。【解決手段】  基台３と、基台３の両側にそれぞれ回転可能に支持された一対の支持脚２、２と、一対の支持脚２、２間に配置され、上保持部５１を有する上棚部材５とを備える保持スタンド１であって、各支持脚２は、上棚部材５を支持する上支持部１５をそれぞれ備え、上棚部材５は、一対の支持脚２、２の対向方向に延びる上ガイド部５２を備え、上支持部１５が各支持脚２の回転に伴い上ガイド部５２に沿ってスライドするように構成された保持スタンド１である。【選択図】  図１
2008253962.tif 000002
【特許請求の範囲】
【請求項１】
基台と、
前記基台の両側にそれぞれ回転可能に支持された一対の支持脚と、
前記一対の支持脚間に配置され、被保持物の保持部を有する棚部材とを備える保持スタンドであって、
前記各支持脚は、前記棚部材を支持する支持部をそれぞれ備え、
前記棚部材は、前記一対の支持脚の対向方向に延びるガイド部を備え、
前記支持部が前記各支持脚の回転に伴い前記ガイド部に沿ってスライドするように構成された保持スタンド。
【請求項２】
前記ガイド部は、前記各支持脚が起立するときに前記支持部にそれぞれ支持されると共に前記支持部が前記対向方向へスライドすることを規制するスライド規制部を備える請求項１に記載の保持スタンド。
【請求項３】
それぞれ一端部が前記基台に連結させると共に他端部が前記各支持脚に係止され、前記各支持脚の起立状態を維持する起立維持部材を更に備える請求項１又は２に記載の保持スタンド。
【請求項４】
前記ガイド部は、前記各支持脚の前記支持部に対応して個別に形成されている請求項１から３のいずれかに記載の保持スタンド。
【請求項５】
前記各支持脚は、側方に突出する把持部をそれぞれ備える請求項１から４のいずれかに記載の保持スタンド。
【請求項６】
被保持物の保持部を有する棚部材と、
前記棚部材の両側にそれぞれ回転可能に支持された一対の支持脚と、
前記一対の支持脚間に配置された基台とを備える保持スタンドであって、
前記各支持脚は、前記基台を支持する支持部をそれぞれ備え、
前記基台は、前記一対の支持脚の対向方向に延びるガイド部を備え、
前記支持部が前記各支持脚の回転に伴い前記ガイド部に沿ってスライドするように構成された保持スタンド。
【発明の詳細な説明】
【技術分野】
【０００１】
本発明は、被保持物を保持する保持スタンドに関し、より詳しくは、折り畳み可能な保持スタンドに関する。
【背景技術】
【０００２】
被保持物を保持する保持スタンドとして、例えば、試験管を保持する試験管立てが知られている。従来、試験管立てとして、折り畳み可能な試験管立てが知られていた（例えば、特許文献１参照）。
【０００３】
この試験管立て１０１は、図８に示すように、左右に立設された一対の支持脚１０２、１０２と、支持脚１０２、１０２の間に多段に配設された下段棚１０３及び上段棚１０４とを備えている。支持脚１０２は、下段棚１０３が回転可能に連結されるヒンジ回転軸１１３と、上段棚１０４が着脱可能に係止される係止部１１４とを備えている。下段棚１０３は、試験管の底部を支持するように構成されており、支持脚１０２に対して回転可能なようにヒンジ回転軸１１３に連結されている。上段棚１０４は、試験管の側面を支持するように構成されており、試験管立て１０１の使用時には、係止部１１４に係止されている。
【０００４】
このような構成の試験管立て１０１によれば、非使用時には、まず、上段棚１０４を係止部１１４から取り外す。次に、一対の支持脚１０２、１０２を回転させることにより横倒しにし、下段棚１０３と重ね合せる。こうして、試験管立て１０１をコンパクトに折り畳む。
【０００５】
また、試験管立て１０１の使用時には、一対の支持脚１０２、１０２を回転させることにより起立させる。次に、上段棚１０４を係止部１１４に係止する。こうして、試験管立て１０１を組み立てる。
【特許文献１】実開昭６３−１４１６３５号公報
【発明の開示】
【発明が解決しようとする課題】
【０００６】
しかし、このような構成の試験管立て１０１では、上段棚１０４が他の部材から分離されているので、試験管立て１０１の使用時又は非使用時において、その都度、上段棚１０４を係止部１１４に着脱しなければならなかった。そのため、試験管立て１０１の折り畳み作業及び組み立て作業が煩雑になるという問題があった。
【０００７】
本発明は、上記問題を解決するためになされたものであって、コンパクトに折り畳むことができ、かつ、折り畳み作業及び展開作業を容易に行うことができる保持スタンドの提供を目的とする。
【課題を解決するための手段】
【０００８】
本発明の前記目的は、基台と、前記基台の両側にそれぞれ回転可能に支持された一対の支持脚と、前記一対の支持脚間に配置され、被保持物の保持部を有する棚部材とを備える保持スタンドであって、前記各支持脚は、前記棚部材を支持する支持部をそれぞれ備え、前記棚部材は、前記一対の支持脚の対向方向に延びるガイド部を備え、前記支持部が前記各支持脚の回転に伴い前記ガイド部に沿ってスライドするように構成された保持スタンドにより達成される。
【０００９】
また、上記保持スタンドにおいて、前記ガイド部は、前記各支持脚が起立するときに前記支持部にそれぞれ支持されると共に前記支持部が前記対向方向へスライドすることを規制するスライド規制部を備えることが好ましい。
【００１０】
また、上記各保持スタンドは、それぞれ一端部が前記基台に連結させると共に他端部が前記各支持脚に係止され、前記各支持脚の起立状態を維持する起立維持部材を更に備えることが好ましい。
【００１１】
また、前記ガイド部は、前記各支持脚の前記支持部に対応して個別に形成されていることが好ましい。
【００１２】
また、前記各支持脚は、側方に突出する把持部をそれぞれ備えることが好ましい。
【００１３】
また、本発明の前記目的は、被保持物の保持部を有する棚部材と、前記棚部材の両側にそれぞれ回転可能に支持された一対の支持脚と、前記一対の支持脚間に配置された基台とを備える保持スタンドであって、前記各支持脚は、前記基台を支持する支持部をそれぞれ備え、前記基台は、前記一対の支持脚の対向方向に延びるガイド部を備え、前記支持部が前記各支持脚の回転に伴い前記ガイド部に沿ってスライドするように構成された保持スタンドにより達成される。
【発明の効果】
【００１４】
本発明の保持スタンドによれば、コンパクトに折り畳むことができ、かつ、折り畳み作業及び展開作業を容易に行うことができる。
【発明を実施するための最良の形態】
【００１５】
以下、本発明の実施形態について添付図面を参照して説明する。図１は、本発明の一実施形態に係る保持スタンド１の概略構成図であり、図２は、この保持スタンド１の正面図、図３は、保持スタンド１の側面図である。
【００１６】
図１、図２及び図３に示すように、保持スタンド１は、試験管９を保持するためのスタンドであり、水平面に載置される基台３と、基台３の左右両側にそれぞれ回転可能に支持された一対の支持脚２、２とを備えている。
【００１７】
基台３は、水平面に載置される載置部３０と、載置部３０の上部に固定された底保持部３１とを備えている。載置部３０は、側面視において台形状の金属板からなり、支持脚２が挿入される挿入孔３２と、後述の起立維持部材１０が挿入される連結孔３３とを備えている。連結孔３３は、水平方向に延びるように形成されている。底保持部３１は、金属の線材を桟状に配設することにより、試験管９の底部を保持可能に構成されている。
【００１８】
支持脚２は、側面視において門型に屈曲した金属の線材からなり、下端部から上方に延びる柱部２０と、正面視において、柱部２０の上端部から側方に張り出す張出部２１と、張出部２１の上端部から側方に突出する把持部２２とを備えている。また、支持脚２は、挿入孔３２に挿入された回転軸１３を下端部に備えており、回転軸１３を介して基台３に回転可能に支持されている。また、支持脚２は、張出部２１及び柱部２０にそれぞれ設けられた棒状の上支持部１５及び中間支持部１４を備えている。上支持部１５及び中間支持部１４は、それぞれ、後述の上棚部材５及び中間棚部材４を支持する。
【００１９】
また、保持スタンド１は、基台３及び各支持脚２、２にそれぞれ接続された一対の起立維持部材１０、１０と、一対の支持脚２、２間に配置された上棚部材５及び中間棚部材４とを備えている。
【００２０】
起立維持部材１０は、棒状の部材からなり、両端部をそれぞれ屈曲させることにより形成された連結部１９及び係止部１８を備えている。起立維持部材１０は、連結部１９が連結孔３３に挿入されることにより基台３に連結され、係止部１８が中間支持部１４に係止されることにより支持脚２に係止されている。これにより、起立維持部材１０は、支持脚２に作用する水平荷重に対して引っ張り力で抵抗し、支持脚２が回転して転倒するのを防ぐことにより、支持脚２の起立状態を維持している。連結部１９は、起立維持部材１０の動きに応じて、連結孔３３に沿ってスライド可能である。
【００２１】
上棚部材５及び中間棚部材４は、基台３の上方において上下に間隔をあけて多段に配置されている。
【００２２】
上棚部材５は、一対の支持脚２、２に支持された上板５０と、上板５０の上部に固定された上保持部５１とを備えている。上板５０は、金属の平板からなり、一対の支持脚２、２の対向方向に延びる上ガイド部５２を備えている。上ガイド部５２は、水平方向に延びるように形成された孔からなり、内部に上支持部１５がスライド可能に挿入されている。上支持部１５は、上ガイド部５２を介して上棚部材５を支持しており、図４及び図５に示すように、一対の支持脚２、２の回転に伴い上ガイド部５２に沿ってスライドするように構成されている。
【００２３】
また、上ガイド部５２は、上方に延びるように形成された孔からなるスライド規制部５３を一端部に備えている。スライド規制部５３は、各支持脚２が起立するときに上支持部１５にそれぞれ支持されると共に上支持部１５が一対の支持脚２の対向方向へスライドすることを規制する。
【００２４】
また、上ガイド部５２は、各支持脚２の上支持部１５に対応して個別に形成されており、上当接部５５が他端部に形成されている。上当接部５５は、図５に示すように、支持脚２が横倒しになった状態で上支持部１５が当接することにより、上棚部材５の左右への移動を規制する。上ガイド部５２の長さは、支持脚２が起立している状態で上支持部１５が位置する高さに対応していることが好ましい。これにより、支持脚２が横倒しになった状態で、上支持部１５の位置が上当接部５５の位置に対応するので、上棚部材５の左右の移動が少なくなる。
【００２５】
上保持部５１は、格子状に組み上げられた金属の線材からなり、線材で囲まれた領域に収容された試験管９を保持する。
【００２６】
中間棚部材４は、一対の支持脚２、２に支持された中間板４０と、中間板４０の上部に固定された中間保持部４１とを備えている。中間板４０は、金属の平板からなり、一対の支持脚２、２の対向方向に延びる中間ガイド部４２を備えている。中間ガイド部４２は、水平方向に延びるように形成された孔からなり、内部に中間支持部１４がスライド可能に挿入されている。中間支持部１４は、中間ガイド部４２を介して中間棚部材４を支持しており、図４及び図５に示すように、一対の支持脚２、２の回転に伴い中間ガイド部４２に沿ってスライドするように構成されている。
【００２７】
また、中間ガイド部４２は、各支持脚２の中間支持部１４に対応して個別に形成されており、中間当接部４５を一端部に備えている。中間当接部４５は、図５に示すように、支持脚２が横倒しになった状態で中間支持部１４が当接することにより、中間棚部材４の移動を規制する。中間ガイド部４２の長さは、支持脚２が起立している状態で中間支持部１４が位置する高さに対応していることが好ましい。これにより、支持脚２が横倒しになった状態で、中間支持部１４の位置が中間当接部４５の位置に対応するので、中間棚部材４の左右の移動が少なくなる。
【００２８】
中間保持部４１は、上述の上保持部５１と同様の構成を備えており、上保持部５１と協同して試験管９を保持する。
【００２９】
次に、以上のように構成された保持スタンド１を折り畳む方法を説明する。
【００３０】
まず、図２に示すように、支持脚２が起立しており、上支持部１５がスライド規制部５３に挿入されることにより一対の支持脚２、２の対向方向へスライドすることが規制されている状態で、上棚部材５を持ち上げることにより、上支持部１５をスライド規制部５３から退避させる。これにより、上支持部１５の前記対向方向へのスライド規制が解除される。
【００３１】
次に、上支持部１５のスライド規制が解除された状態で、一対の支持脚２、２をそれぞれ押圧する。これにより、図４に示すように、各支持脚２が回転軸１３を回転中心として回転するに伴い、上支持部１５が上ガイド部５２に沿ってスライドし、中間支持部１４が中間ガイド部４２に沿ってスライドする。また、支持脚２の回転、並びに、上支持部１５及び中間支持部１４のスライドに伴い、上棚部材５及び中間棚部材４が下降し、基台３に接近してゆく。また、起立維持部材１０が中間支持部１４に係止されている状態が解除される。
【００３２】
その後、図５に示すように、支持脚２が横倒しになると共に、基台３、中間棚部材４及び上棚部材５が重なり合う。こうして、保持スタンド１が折り畳まれる。支持脚２が横倒しになった状態では、把持部２２が上棚部材５の上方に突出している。
【００３３】
次に、保持スタンド１を展開する方法を説明する。
【００３４】
まず、図５に示すように、支持脚２が横倒しになり、把持部２２が上棚部材５の上方に突出している状態で、把持部２２を把持して、持ち上げる。これにより、図４に示すように、保持スタンド１を折り畳む場合とは逆方向に、各支持脚２が回転するに伴い、上支持部１５が上ガイド部５２に沿ってスライドし、中間支持部１４が中間ガイド部４２に沿ってスライドする。また、支持脚２の回転、並びに、上支持部１５及び中間支持部１４のスライドに伴い、上棚部材５及び中間棚部材４が上昇し、基台３から離れてゆく。
【００３５】
その後、図２に示すように、支持脚２が起立すると、上支持部１５がスライド規制部５３に挿入され、一対の支持脚２、２の対向方向へスライドすることが規制される。また、起立維持部材１０が中間支持部１４に係止され、支持脚２の起立状態が維持される。こうして、保持スタンド１が展開される。
【００３６】
本実施形態に係る保持スタンド１によれば、各支持脚２が上棚部材５を支持する上支持部１５をそれぞれ備え、上棚部材５が一対の支持脚２、２の対向方向に延びる上ガイド部５２を備え、上支持部１５が各支持脚２の回転に伴い上ガイド部５２に沿ってスライドするように構成されているので、支持脚２を押圧するだけで、コンパクトに折り畳むことができると共に、支持脚２を持ち上げるだけで展開することができる。したがって、コンパクトに折り畳むことができ、かつ、折り畳み作業及び展開作業を容易に行うことができる。また、保持スタンド１全体が一体として構成されているので、個別の部品を紛失するおそれを軽減することができる。
【００３７】
また、上ガイド部５２が、各支持脚２が起立するときに上支持部１５にそれぞれ支持されると共に上支持部１５が前記対向方向へスライドすることを規制するスライド規制部５３を備えるので、上支持部１５のスライドにより各支持脚２が回転して転倒するのを防ぐことができ、支持脚２を安定した状態で起立させることができる。
【００３８】
また、それぞれ一端部が基台３に連結させると共に他端部が各支持脚２に係止され、各支持脚２の起立状態を維持する起立維持部材１０を更に備えるので、支持脚２をより安定した状態で起立させることができる。
【００３９】
また、上ガイド部５２が各支持脚２の上支持部１５に対応して個別に形成されているので、支持脚２が横倒しになった状態で、上ガイド部５２の上当接部５５に上支持部１５が当接し、上棚部材５の移動が規制される。これにより、折り畳んだ状態の保持スタンド１を、よりコンパクトにすることができる。
【００４０】
また、各支持脚２が側方に突出する把持部２２をそれぞれ備えるので、展開作業をより容易に行うことができる。
【００４１】
以上、本発明の一実施形態について説明したが、本発明の具体的な態様は、上記実施形態に限定されるものではない。
【００４２】
例えば、本実施形態では、保持スタンド１が保持する被保持物は試験管９であったが、これに限定されるものではない。
【００４３】
また、本実施形態では、底保持部３１、上保持部５１及び中間保持部４１は、金属の線材を桟状や格子状に組むことにより形成されていたが、これらの構成は被保持物を保持可能であれば特に限定されず、例えば、平板状の保持台や、箱型の保持ケースなどであてもよい。
【００４４】
また、本実施形態では、起立維持部材１０の係止部１８は、中間支持部１４に係止されていたが、支持脚２に係止されていればその構成は特に限定されず、例えば、上支持部１５に係止されていてもよい。
【００４５】
また、本実施形態では、上支持部１５は、棒状の部材であったが、上ガイド部５２に沿ってスライド可能、かつ、スライド規制部５３に挿入可能であればその構成は特に限定されず、例えば、支持脚２に回転可能に取り付けられたローラーであってもよい。このような構成によれば、上支持部１５が上ガイド部５２に沿ってスムーズに移動するので、保持ケース１の折り畳み作業及び展開作業を円滑に行うことができる。また、中間支持部４も同様に、支持脚２に回転可能に取り付けられたローラーであってもよい。また、この場合、図６に示すように、上ガイド部５２は、上板５０に形成された溝から構成されていてもよい。支持脚２に回転可能に取り付けられたローラーからなる上支持部１５は、上ガイド部５２に挿入され、溝に沿ってスライドする。また、中間ガイド部４２も同様に、中間板４０に形成された溝であってもよい。
【００４６】
また、本実施形態では、スライド規制部５３は、上板５０に形成されていたが、中間板４０に形成されていてもよい。この場合、中間支持部１４がスライド規制部に係止される。
【００４７】
また、本実施形態では、支持脚２が張出部２１を備えていたが、これは必ずしも必要ではない。
【００４８】
また、中間棚部材４は、必ずしも必要ではなく、省略することもできる。また、中間棚部材４を複数配設することもできる。
【００４９】
また、本実施形態では、一対の支持脚２、２は、基台３に回転可能に支持された構成であったが、上棚部材５に回転可能に支持された構成であってもよい。この場合、基台３が備える構成と、上棚部材５が備える構成とは、それぞれ逆になる。図７は、他の実施形態に係る保持スタンド１の正面図である。図７において、図２と同様の構成部分については、同一の符号を付して説明を省略する。図７に示すように、保持スタンド１は、上棚部材７０と、上棚部材７０の両側にそれぞれ回転可能に支持された一対の支持脚２、２と、一対の支持脚２、２間に配置された基台８０とを備えている。上棚部材７０は、上述した基台３と同様の構成を備えている。上保持部７１は、格子状に組み上げられた金属の線材からなる。支持脚２は、起立した状態で、把持部２２を介して水平面に載置される。基台８０は、上述した上棚部材５と同様の構成を備えている。底保持部８１は、金属の線材を桟状に配設することにより試験管９の底部を保持可能に構成されている。このような構成によれば、保持スタンド１を折り畳むときは、基台８０を持ち上げることにより、上支持部１５をスライド規制部５３から退避させる。これにより、上支持部１５のスライド規制が解除される。次に、この状態で、一対の支持脚２、２をそれぞれ押圧する。これにより、支持脚２の回転、並びに、上支持部１５及び中間支持部１４のスライドに伴い、基台８０及び中間棚部材４が上昇し、上棚部材７０に接近してゆく。
【図面の簡単な説明】
【００５０】
【図１】本発明の一実施形態に係る保持スタンドの概略構成図である。
【図２】保持スタンドの正面図である。
【図３】保持スタンドの側面図である。
【図４】保持スタンドの他の状態の正面図である。
【図５】保持スタンドの更に他の状態の正面図である。
【図６】他の実施形態に係る保持スタンドの部分断面図である。
【図７】更に他の実施形態に係る保持スタンドの正面図である。
【図８】従来の保持スタンドの概略構成図である。
【符号の説明】
【００５１】
１  保持スタンド
２  支持脚
３  基台
４  中間棚部材
５  上棚部材
１０  起立維持部材
１３  回転軸
１４  中間支持部
１５  上支持部
２２  把持部
３０  載置部
３１  底保持部
３２  挿入孔
４０  中間板
４１  中間保持部
４２  中間ガイド部
５０  上板
５１  上保持部
５２  上ガイド部
５３  スライド規制部
【図１】
2008253962.tif 000003
【図２】
2008253962.tif 000004
【図３】
2008253962.tif 000005
【図４】
2008253962.tif 000006
【図５】
2008253962.tif 000007
【図６】
2008253962.tif 000008
【図７】
2008253962.tif 000009
【図８】
2008253962.tif 000010